(57)【特許請求の範囲】
【請求項１】
浴槽の浴水を汲み上げ循環させて清浄化した後に前記浴槽に再び戻す循環管路中に設けられて、浴水を循環させるための循環ポンプと、前記浴水を加熱するためのヒ−タと、殺菌するための殺菌装置と、前記浴水を清浄化するための濾過タンクとを有する浴水浄化循環装置であって、前記浴水浄化循環装置を可動架台上に設けて、前記浴槽の下側に形成される空間部に配置して該空間部をエプロンで閉鎖して前記浴槽にビルトインして構成するとともに、前記濾過タンクは、横型に設置し、前記エプロンに着脱可能な側部エプロンを取り外してロックされた可動架台上の前記濾過タンク内を適宜洗浄可能に構成したこと
を特徴とするビルトインタイプの浴水浄化循環装置。
【請求項２】
請求項1において、前記浴水浄化循環装置を載置した前記可動架台を浴室の洗い場側へ移動可能としたことを特徴とするビルトインタイプの浴水浄化循環装置。
【発明の詳細な説明】
【０００１】
【発明が属する技術分野】
本発明は、浴水浄化循環装置を浴槽の下側、浴槽パンの上側、側壁の内側の空間箇所に配置したビルトインタイプの浴水浄化循環装置に関する。
【０００２】
【従来の技術】
従来より、浴水浄化循環装置、即ち、通称２４時間風呂の浴水循環ユニットは浴室内の見える場所に置くか、或いは循環ユニットを浴室外に設置（室外置き）するかの何れかであった。また、濾過装置の濾過材は、メンテナンスの際にはおおむね垂直方向に引き出す構成が主流であった。
【０００３】
【発明が解決しようとする課題】
ところで、特に、浴室内に設置するタイプでは、浴室空間を広く有効に使えなかったり、或いは、浴槽内に給排ユニットやホースが邪魔になったり、浴室内のデザインを損なうようなことがあり、これらの問題点の改善の要望もあった。
【０００４】
【課題を解決するための手段】
そこで発明者は、前記課題を解決することを目的とし、鋭意，研究を重ねた結果、その発明を、浴槽の浴水を汲み上げ循環させて清浄化した後に前記浴槽に再び戻す循環管路中に設けられて、浴水を循環させるための循環ポンプと、前記浴水を加熱するためのヒ−タと、殺菌するための殺菌装置と、前記浴水を清浄化するための濾過タンクとを有する浴水浄化循環装置であって、前記浴水浄化循環装置を可動架台上に設けて、前記浴槽の下側に形成される空間部に配置して該空間部をエプロンで閉鎖して前記浴槽にビルトインして構成するとともに、前記濾過タンクは、横型に設置し、前記エプロンに着脱可能な側部エプロンを取り外してロックされた可動架台上の前記濾過タンク内を適宜洗浄可能に構成したことを特徴とするビルトインタイプの浴水浄化循環装置としたことにより、前記問題点を解消したものである。
【０００５】
【発明の実施の形態】
以下、本発明の実施の形態について図面に基づいて説明する。この発明の概要としては、殺菌及び保温ができる浴水浄化循環装置が浴槽２０の下側、浴槽パン２１の上側、側壁２２の内側の空間部２３に配置されている。
【０００６】
浴水浄化循環装置は、浴水を循環させるための循環ポンプ１と、加熱するシーズヒータ等のヒータ２と、浴水を殺菌する紫外線等による紫外線殺菌装置３と、微細なごみ及び汚れなる不純物を浴水から濾過する濾過タンク４と、前記循環ポンプ１にて浴水が浴槽２０から浴槽２０に戻るように循環する循環管路５等とから構成されている。該循環管路５は、循環ポンプ１，ヒータ２，紫外線殺菌装置３，濾過タンク４が配置された管路である。その循環ポンプ１，ヒータ２，紫外線殺菌装置３，濾過タンク４の取付順序は、実施の形態の外、適宜の順序にて設けられている。
【０００７】
浴水浄化循環装置は、前記空間部２３内で、且つ浴槽パン２１の上側に架台２４を介して備えられている。その浴水浄化循環装置の循環ポンプ１，ヒータ２，紫外線殺菌装置３等を一つのブロックとして電装ユニットＡとし、該電装ユニットＡは防水ケース６内にシール材等を介して水密的に設けられている。また、前記浴水浄化循環装置の他の一つのブロックとしては、電装に関係ない濾過タンク４のみで構成され、これが単数又は複数で前記架台２４上に備えられている。実施の形態の図では、濾過タンク４は横型として設置され、且つ口径が比較的小さい２つが並列に設けられている。
【０００８】
また、具体的な構成として、ジェット用電磁弁７，圧力センサ８，湯温センサ９，補助湯温センサ１０，制御回路１１も前記電装ユニットＡとして、前記防水ケース６内にシール材等を介して水密的に設けられている。そのジェット用電磁弁７は、前記循環管路５において浴槽２０に流出する側の浴水吹出し口１２のジェットノズル箇所にジェット噴出させるための電磁弁であり、圧力センサ８は前記循環管路５内の流れの圧力を測定して流速圧が低下した場合には前記循環ポンプ１を停止するように制御されている。また、湯温センサ９，補助湯温センサ１０も前記循環管路５内の適宜の箇所に設けられている。さらに、制御回路１１は中央演算処理装置が内蔵され、その湯温によって循環ポンプ１、ヒーター２等を制御するように構成されている。
【０００９】
前記電装ユニットＡと濾過タンク４とは、可動架台２６上に備えられ、該可動架台２６の下面には、断面門形状の可動レール２７が固着されている。該可動レール２７付き可動架台２６は、前記架台２４上に設けた固定レール２５上を適宜摺動するように設けられている。該摺動方向は、前記側壁２２に沿い且つ浴槽２０の洗い場側の着脱可能な大きなエプロン２８の端部の着脱可能な小さい側部エプロン２８ａ箇所側に飛び出す方向をなし、前記浴水浄化循環装置を載置した可動架台２６は、前記側部エプロン２８ａを外し、ロック２９を外すことで洗い場側に平行に摺動させることができ、これによって前記電装ユニットＡが洗い場側に露出するように構成されている。また、濾過タンク４は横型に設置されており、前記側部エプロン２８ａを外すことで、濾過タンク４内を適宜洗浄可能に構成されている。
【００１０】
前記電装ユニットＡを覆う防水ケース６には、その一部に取入れ開口部３０が設けられている。また、前記側壁２２に穿設した壁取入れ開口部３１箇所には、端子台３３を内蔵した中継ボックス３２が水密的に取付けられている。具体的には、該中継ボックス３２にて前記壁取入れ開口部３１を覆うように構成されている。前記中継ボックス３２の取出し口３２ａと前記防水ケース６の取入れ開口部３０との間には、可撓性のある電線保護チューブ３４がその両端をシール材にて水密的に設けられている。これらによって、浴室の側壁２２の外側の空気、即ち、浴室外の湿度の低い空気が、壁取入れ開口部３１，中継ボックス３２，電線保護チューブ３４を介して防水ケース６内に流入するように構成され、浴室内の湿度の高い空気は防水ケース６内には浸入しない構成となっている。このため、ジェット用電磁弁７にて浴水吹出し口１２から噴出するエアジェットに用いる空気は、前述の防水ケース６内に流入した浴室外の湿度の低い空気となるように構成されている。
【００１１】
前述のような電線保護チューブ３４であると、特殊な被覆材を持つケーブル（防水機能を持つ特殊な被覆材を持つケーブルで、例えばクロロプレンキャブタイヤケーブル等）は不要にできる。また、電装ユニットＡと中継ボックス３２とは、前記電線保護チューブ３４にて接続されており、電源ケーブル、信号線等には直接ストレスはかからないため、接続部の断線、接触不良等のトラブルを極端に減少させることができる。
【００１２】
図中３５は本体ケーブル、３６は絶縁トランス、３７はアース線付き電源ケーブル、３８は配電盤、３９はコントロールパネル、４０は浴室の点検口である。
【００１３】
【発明の効果】
請求項１の発明においては、浴槽２０内に給排ユニットやホースを置かずにすみ、浴室空間を広く有効に使うここができ、さらには、浴室内のデザインを損なわないようにできるし、浴槽２０の横のすぐそばに濾過タンク４及び殺菌装置を置くことで浴水の保温効果を大きくできる等の効果を奏する。
【００１４】
また、浴槽２０の内部に収納されるために、外観部品が不要となり、金型費がかからず、外装部品を大幅に節約できる。さらに、浴水浄化循環装置は、浴室内にて処理できるので、浴室の間取りは、家屋のいかなる場所（極端には、部屋の真ん中に配置）でも十分に対応できる利点がある。
【００１５】
請求項２の発明では、請求項１において、前記可動架台２６を浴室の洗い場側へ移動可能としたビルトインタイプの浴水浄化循環装置としたことにより、前記循環ポンプ１、前記ヒータ２及び殺菌装置等が故障等の場合には、適宜浴室の洗い場側に引き出して修理等を簡単に行うことができる。
【００１６】
請求項２の発明においては、適宜洗い場側へ引き出して修理などを簡単に行うことができる。特に、修理時（メンテナンス時）などに運転可能にできる。
【図面の簡単な説明】
【図１】浴室内に設けた本発明の一部切除した斜視図
【図２】浴室箇所の概略斜視図
【図３】本発明の斜視図及び要部拡大斜視図
【図４】本発明の一部断面とした側面図
【図５】本発明の一部断面とした平面図
【図６】本発明の一部断面とした正面図
【図７】本発明の概要を示す系統図
【図８】本発明の要部の斜視図
【図９】本発明の架台箇所の断面図
【符号の説明】
Ａ…電装ユニット
１…循環ポンプ
２…ヒータ
３…紫外線殺菌装置
４…濾過タンク
６…防水ケース
２０…浴槽
２１…浴槽パン
２２…側壁
２３…空間部
２４…架台
２６…可動架台
３０…取入れ開口部
【図１】
0003919134.tif 000002
【図２】
0003919134.tif 000003
【図３】
0003919134.tif 000004
【図４】
0003919134.tif 000005
【図５】
0003919134.tif 000006
【図６】
0003919134.tif 000007
【図７】
0003919134.tif 000008
【図８】
0003919134.tif 000009
【図９】
0003919134.tif 000010